【手続補正書】
【提出日】平成22年11月10日(2010.11.10)
【手続補正１】
【補正対象書類名】特許請求の範囲
【補正対象項目名】全文
【補正方法】変更
【補正の内容】
【特許請求の範囲】
【請求項１】
画像の符号化対象となる対象ブロックに隣接する隣接ブロックが第１の符号化方式と異なる第２の符号化方式で符号化された場合に、前記第１の符号化方式で符号化されたブロックを対象として、前記対象ブロックと前記隣接ブロックとを結ぶ方向に対して前記対象ブロックから閾値以内の距離又は前記隣接ブロックから閾値以内の距離に位置する周辺ブロックを、代替ブロックとして検出する検出部と、
前記検出部により検出された代替ブロックを利用して、前記対象ブロックを前記第１の符号化方式で符号化する第１の符号化部と、
前記第１の符号化方式で符号化しない前記対象ブロックを前記第２の符号化方式で符号化する第２の符号化部と、
を備える符号化装置。
【請求項２】
前記検出部は、前記対象ブロックを含むピクチャと異なるピクチャにおいて前記対象ブロックに対応する位置にある対応ブロックが第１の符号化方式で符号化された場合に、前記対応ブロックを前記代替ブロックとして検出する
請求項１に記載の符号化装置。
【請求項３】
前記検出部は、前記隣接ブロックが第１の符号化方式で符号化された場合に、隣接ブロックを、前記代替ブロックとして検出する
請求項２に記載の符号化装置。
【請求項４】
前記対象ブロックを、第１の符号化方式と第２の符号化方式のいずれの方式で符号化するかを判定する判定部を更に備え、
前記第２の符号化部は、前記判定部により前記第２符号化方式で符号化すると判定された前記対象ブロックを符号化する
請求項３に記載の符号化装置。
【請求項５】
前記判定部は、前記隣接ブロックの画素値との差分を示すパラメータの値が閾値より大きいブロックを前記第１の符号化方式で符号化するブロックと判定し、前記パラメータの値が前記閾値より小さいブロックを前記第２の符号化方式で符号化するブロックと判定する
請求項４に記載の符号化装置。
【請求項６】
前記判定部は、エッジ情報を有するブロックを前記第１の符号化方式で符号化するブロックと判定し、エッジ情報を有さないブロックを前記第２の符号化方式で符号化するブロックと判定する
請求項４に記載の符号化装置。
【請求項７】
前記判定部は、IピクチャとPピクチャを第１の符号化方式で符号化すると判定し、Bピクチャを第２の符号化方式で符号化すると判定する
請求項４に記載の符号化装置。
【請求項８】
前記判定部は、エッジ情報を有さないブロックを対象として、前記パラメータの値が前記閾値より大きいブロックを前記第１の符号化方式で符号化するブロックと判定し、前記パラメータの値が前記閾値より小さいブロックを前記第２の符号化方式で符号化するブロックと判定する
請求項６に記載の符号化装置。
【請求項９】
前記判定部は、Bピクチャのエッジ情報を有さないブロックを対象として、前記パラメータの値が前記閾値より大きいブロックを前記第１の符号化方式で符号化するブロックと判定し、前記パラメータの値が前記閾値より小さいブロックを前記第２の符号化方式で符号化するブロックと判定する
請求項８に記載の符号化装置。
【請求項１０】
前記パラメータは、隣接ブロックに含まれる画素値の分散値を含む
請求項５に記載の符号化装置。
【請求項１１】
前記パラメータは、次式で表される
【数１】
2009177417.tif 000001
請求項１０に記載の符号化装置。
【請求項１２】
前記画像のグローバル動きベクトルを検出する動きベクトル検出部をさらに備え、
前記第１の符号化部は、前記動きベクトル検出部により検出されたグローバル動きベクトルを利用して符号化を行い、
前記第２の符号化部は、前記動きベクトル検出部により検出されたグローバル動きベクトルを符号化する
請求項１に記載の符号化装置。
【請求項１３】
前記第２の符号化部は、前記パラメータの値が前記閾値より小さいブロックの位置を表す位置情報を符号化する
請求項５に記載の符号化装置。
【請求項１４】
前記第１の符号化方式は、Ｈ．２６４／ＡＶＣ規格に基づく符号化方式である
請求項１に記載の符号化装置。
【請求項１５】
前記第２の符号化方式は、テクスチャ解析・合成符号化方式である
請求項１に記載の符号化装置。
【請求項１６】
検出部と、
第１の符号化部と、
第２の符号化部と
を備え、
前記検出部は、画像の符号化対象となる対象ブロックに隣接する隣接ブロックが第１の符号化方式と異なる第２の符号化方式で符号化された場合に、前記第１の符号化方式で符号化されたブロックを対象として、前記対象ブロックと前記隣接ブロックとを結ぶ方向に対して前記対象ブロックから閾値以内の距離又は前記隣接ブロックから閾値以内の距離に位置する周辺ブロックを、代替ブロックとして検出し、
前記第１の符号化部は、前記検出部により検出された代替ブロックを利用して、前記対象ブロックを前記第１の符号化方式で符号化し、
前記第２の符号化部は、前記第１の符号化方式で符号化しない前記対象ブロックを前記第２の符号化方式で符号化する
符号化方法。
【請求項１７】
検出部と、
第１の符号化部と、
第２の符号化部と
を備えるコンピュータに、
前記検出部は、画像の符号化対象となる対象ブロックに隣接する隣接ブロックが第１の符号化方式と異なる第２の符号化方式で符号化された場合に、前記第１の符号化方式で符号化されたブロックを対象として、前記対象ブロックと前記隣接ブロックとを結ぶ方向に対して前記対象ブロックから閾値以内の距離又は前記隣接ブロックから閾値以内の距離に位置する周辺ブロックを、代替ブロックとして検出し、
前記第１の符号化部は、前記検出部により検出された代替ブロックを利用して、前記対象ブロックを前記第１の符号化方式で符号化し、
前記第２の符号化部は、前記第１の符号化方式で符号化しない前記対象ブロックを前記第２の符号化方式で符号化する
ステップを実行させるためのプログラムを記録したコンピュータが飲み取り可能な記録媒体。
【請求項１８】
検出部と、
第１の符号化部と、
第２の符号化部と
を備えるコンピュータに、
前記検出部は、画像の符号化対象となる対象ブロックに隣接する隣接ブロックが第１の符号化方式と異なる第２の符号化方式で符号化された場合に、前記第１の符号化方式で符号化されたブロックを対象として、前記対象ブロックと前記隣接ブロックとを結ぶ方向に対して前記対象ブロックから閾値以内の距離又は前記隣接ブロックから閾値以内の距離に位置する周辺ブロックを、代替ブロックとして検出し、
前記第１の符号化部は、前記検出部により検出された代替ブロックを利用して、前記対象ブロックを前記第１の符号化方式で符号化し、
前記第２の符号化部は、前記第１の符号化方式で符号化しない前記対象ブロックを前記第２の符号化方式で符号化する
ステップを実行させるためのプログラム。
【手続補正２】
【補正対象書類名】明細書
【補正対象項目名】発明の名称
【補正方法】変更
【補正の内容】
【発明の名称】符号化装置および方法、記録媒体、並びにプログラム
【手続補正３】
【補正対象書類名】明細書
【補正対象項目名】０００７
【補正方法】変更
【補正の内容】
【０００７】
本発明の一側面は、画像の符号化対象となる対象ブロックに隣接する隣接ブロックが第１の符号化方式と異なる第２の符号化方式で符号化された場合に、前記第１の符号化方式で符号化されたブロックを対象として、前記対象ブロックと前記隣接ブロックとを結ぶ方向に対して前記対象ブロックから閾値以内の距離又は前記隣接ブロックから閾値以内の距離に位置する周辺ブロックを、代替ブロックとして検出する検出部と、前記検出部により検出された代替ブロックを利用して、前記対象ブロックを前記第１の符号化方式で符号化する第１の符号化部と、前記第１の符号化方式で符号化しない前記対象ブロックを前記第２の符号化方式で符号化する第２の符号化部と、を備える符号化装置。
【手続補正４】
【補正対象書類名】明細書
【補正対象項目名】０００８
【補正方法】変更
【補正の内容】
【０００８】
前記検出部は、前記対象ブロックを含むピクチャと異なるピクチャにおいて前記対象ブロックに対応する位置にある対応ブロックが第１の符号化方式で符号化された場合に、前記対応ブロックを前記代替ブロックとして検出することができる。
【手続補正５】
【補正対象書類名】明細書
【補正対象項目名】０００９
【補正方法】変更
【補正の内容】
【０００９】
前記検出部は、前記隣接ブロックが第１の符号化方式で符号化された場合に、隣接ブロックを、前記代替ブロックとして検出することができる。
【手続補正６】
【補正対象書類名】明細書
【補正対象項目名】００１０
【補正方法】変更
【補正の内容】
【００１０】
前記対象ブロックを、第１の符号化方式と第２の符号化方式のいずれの方式で符号化するかを判定する判定部を更に備え、前記第２の符号化部は、前記判定部により前記第２符号化方式で符号化すると判定された前記対象ブロックを符号化することができる。
【手続補正７】
【補正対象書類名】明細書
【補正対象項目名】００１１
【補正方法】変更
【補正の内容】
【００１１】
前記判定部は、前記隣接ブロックの画素値との差分を示すパラメータの値が閾値より大きいブロックを前記第１の符号化方式で符号化するブロックと判定し、前記パラメータの値が前記閾値より小さいブロックを前記第２の符号化方式で符号化するブロックと判定することができる。
【手続補正８】
【補正対象書類名】明細書
【補正対象項目名】００１２
【補正方法】変更
【補正の内容】
【００１２】
前記判定部は、エッジ情報を有するブロックを前記第１の符号化方式で符号化するブロックと判定し、エッジ情報を有さないブロックを前記第２の符号化方式で符号化するブロックと判定することができる。
【手続補正９】
【補正対象書類名】明細書
【補正対象項目名】００１３
【補正方法】変更
【補正の内容】
【００１３】
前記判定部は、IピクチャとPピクチャを第１の符号化方式で符号化すると判定し、Bピクチャを第２の符号化方式で符号化すると判定することができる。
【手続補正１０】
【補正対象書類名】明細書
【補正対象項目名】００１４
【補正方法】変更
【補正の内容】
【００１４】
前記判定部は、エッジ情報を有さないブロックを対象として、前記パラメータの値が前記閾値より大きいブロックを前記第１の符号化方式で符号化するブロックと判定し、前記パラメータの値が前記閾値より小さいブロックを前記第２の符号化方式で符号化するブロックと判定することができる。
【手続補正１１】
【補正対象書類名】明細書
【補正対象項目名】００１５
【補正方法】変更
【補正の内容】
【００１５】
前記判定部は、Bピクチャのエッジ情報を有さないブロックを対象として、前記パラメータの値が前記閾値より大きいブロックを前記第１の符号化方式で符号化するブロックと判定し、前記パラメータの値が前記閾値より小さいブロックを前記第２の符号化方式で符号化するブロックと判定することができる。
【手続補正１２】
【補正対象書類名】明細書
【補正対象項目名】００１６
【補正方法】変更
【補正の内容】
【００１６】
前記パラメータは、隣接ブロックに含まれる画素値の分散値を含むことができる。
【手続補正１３】
【補正対象書類名】明細書
【補正対象項目名】００１７
【補正方法】変更
【補正の内容】
【００１７】
前記パラメータは、次式
【数１】
2009177417.tif 000002
であらわすことができる。
【手続補正１４】
【補正対象書類名】明細書
【補正対象項目名】００１８
【補正方法】変更
【補正の内容】
【００１８】
前記画像のグローバル動きベクトルを検出する動きベクトル検出部をさらに備え、前記第１の符号化部は、前記動きベクトル検出部により検出されたグローバル動きベクトルを利用して符号化を行い、前記第２の符号化部は、前記動きベクトル検出部により検出されたグローバル動きベクトルを符号化することができる。
【手続補正１５】
【補正対象書類名】明細書
【補正対象項目名】００１９
【補正方法】変更
【補正の内容】
【００１９】
前記第２の符号化部は、前記パラメータの値が前記閾値より小さいブロックの位置を表す位置情報を符号化することができる。
【手続補正１６】
【補正対象書類名】明細書
【補正対象項目名】００２０
【補正方法】変更
【補正の内容】
【００２０】
前記第１の符号化方式は、Ｈ．２６４／ＡＶＣ規格に基づく符号化方式である。
【手続補正１７】
【補正対象書類名】明細書
【補正対象項目名】００２１
【補正方法】変更
【補正の内容】
【００２１】
前記第２の符号化方式は、テクスチャ解析・合成符号化方式である。
【手続補正１８】
【補正対象書類名】明細書
【補正対象項目名】００２２
【補正方法】変更
【補正の内容】
【００２２】
本発明の一側面は、検出部と、第１の符号化部と、第２の符号化部とを備え、前記検出部は、画像の符号化対象となる対象ブロックに隣接する隣接ブロックが第１の符号化方式と異なる第２の符号化方式で符号化された場合に、前記第１の符号化方式で符号化されたブロックを対象として、前記対象ブロックと前記隣接ブロックとを結ぶ方向に対して前記対象ブロックから閾値以内の距離又は前記隣接ブロックから閾値以内の距離に位置する周辺ブロックを、代替ブロックとして検出し、前記第１の符号化部は、前記検出部により検出された代替ブロックを利用して、前記対象ブロックを前記第１の符号化方式で符号化し、前記第２の符号化部は、前記第１の符号化方式で符号化しない前記対象ブロックを前記第２の符号化方式で符号化する符号化方法である。
【手続補正１９】
【補正対象書類名】明細書
【補正対象項目名】００２３
【補正方法】変更
【補正の内容】
【００２３】
本発明の一側面は、検出部と、第１の符号化部と、第２の符号化部とを備えるコンピュータに、前記検出部は、画像の符号化対象となる対象ブロックに隣接する隣接ブロックが第１の符号化方式と異なる第２の符号化方式で符号化された場合に、前記第１の符号化方式で符号化されたブロックを対象として、前記対象ブロックと前記隣接ブロックとを結ぶ方向に対して前記対象ブロックから閾値以内の距離又は前記隣接ブロックから閾値以内の距離に位置する周辺ブロックを、代替ブロックとして検出し、前記第１の符号化部は、前記検出部により検出された代替ブロックを利用して、前記対象ブロックを前記第１の符号化方式で符号化し、前記第２の符号化部は、前記第１の符号化方式で符号化しない前記対象ブロックを前記第２の符号化方式で符号化するステップを実行させるためのプログラムを記録したコンピュータが飲み取り可能な記録媒体である。
【手続補正２０】
【補正対象書類名】明細書
【補正対象項目名】００２４
【補正方法】変更
【補正の内容】
【００２４】
本発明の一側面は、検出部と、第１の符号化部と、第２の符号化部とを備えるコンピュータに、前記検出部は、画像の符号化対象となる対象ブロックに隣接する隣接ブロックが第１の符号化方式と異なる第２の符号化方式で符号化された場合に、前記第１の符号化方式で符号化されたブロックを対象として、前記対象ブロックと前記隣接ブロックとを結ぶ方向に対して前記対象ブロックから閾値以内の距離又は前記隣接ブロックから閾値以内の距離に位置する周辺ブロックを、代替ブロックとして検出し、前記第１の符号化部は、前記検出部により検出された代替ブロックを利用して、前記対象ブロックを前記第１の符号化方式で符号化し、前記第２の符号化部は、前記第１の符号化方式で符号化しない前記対象ブロックを前記第２の符号化方式で符号化するステップを実行させるためのプログラムである。
【手続補正２１】
【補正対象書類名】明細書
【補正対象項目名】００２５
【補正方法】変更
【補正の内容】
【００２５】
本発明の一側面においては、画像の符号化対象となる対象ブロックに隣接する隣接ブロックが第１の符号化方式と異なる第２の符号化方式で符号化された場合に、前記第１の符号化方式で符号化されたブロックを対象として、前記対象ブロックと前記隣接ブロックとを結ぶ方向に対して前記対象ブロックから閾値以内の距離又は前記隣接ブロックから閾値以内の距離に位置する周辺ブロックが、代替ブロックとして検出され、検出された代替ブロックを利用して、前記対象ブロックが前記第１の符号化方式で符号化され、前記第１の符号化方式で符号化しない前記対象ブロックが前記第２の符号化方式で符号化される。
【手続補正２２】
【補正対象書類名】明細書
【補正対象項目名】００２６
【補正方法】削除
【補正の内容】
【手続補正２３】
【補正対象書類名】明細書
【補正対象項目名】００２７
【補正方法】削除
【補正の内容】
【手続補正２４】
【補正対象書類名】明細書
【補正対象項目名】００２８
【補正方法】削除
【補正の内容】
【手続補正２５】
【補正対象書類名】明細書
【補正対象項目名】００２９
【補正方法】削除
【補正の内容】
【手続補正２６】
【補正対象書類名】明細書
【補正対象項目名】００３０
【補正方法】削除
【補正の内容】
【手続補正２７】
【補正対象書類名】明細書
【補正対象項目名】０１２３
【補正方法】変更
【補正の内容】
【０１２３】
蓄積バッファ１１１は伝送されてきた圧縮画像を蓄積する。第１の復号部１１２は蓄積バッファ１１１に蓄積された圧縮画像のうち、第１の符号化が行われている圧縮画像を、第１の復号処理で復号する。この第１の復号処理は、図１の画像符号化装置５１の第１の符号化部６３が行う第１の符号化処理に対応する処理、すなわち、この実施の形態の場合、Ｈ．２６４／ＡＶＣ方式に対応する復号方式の処理である。代替ブロック検出部１１３は、補助情報復号部１２１から供給されるバイナリマスクに基づいて代替ブロックを検出する。その機能は図１の代替ブロック検出部６４と同様である。